(57)【要約】      （修正有）【課題】照明用ＬＥＤの光を効果的に外部に放出し、かつ製造コストの低減が可能な自転車用泥除け装置を提供する。【解決手段】自転車用泥除け装置３の本体部３０の中央には、本体部３０の径内方向に突出し径方向外側に開口を有する凹部４が形成される。凹部４には、照明用ＬＥＤ５および照明用ＬＥＤ５に電力を伝える電気配線５０が収容されている。凹部４の開口を覆うカバー４０は、半透明の材料から形成されており、照明用ＬＥＤ５が発する光を効果的に拡散し、外部に放出する。【選択図】図１
0003178875.tif 000002
【実用新案登録請求の範囲】
【請求項１】
自転車に搭載され、タイヤが回転するとき、路面からの泥の飛散を防止する自転車用泥除け装置であって、
前記タイヤに沿って円弧状に形成され、前記タイヤ側に突出し前記タイヤ側とは反対側に開口を有する凹部を形成する本体部と、
前記凹部に収容される照明用ＬＥＤと、
前記凹部に収容され、前記照明用ＬＥＤと電気的に接続される電気配線と、
前記凹部の前記開口を覆い、前記照明用ＬＥＤが発する光を拡散するカバーと、
を備える自転車用泥除け装置。
【請求項２】
前記凹部の断面形状は、長方形、四角形、楕円形、または円形であることを特徴とする請求項１に記載の自転車用泥除け装置。
【考案の詳細な説明】
【技術分野】
【０００１】
本考案は、自転車用泥除け装置であって、特に電気配線を収容する凹部を有し、照明用ＬＥＤおよび照明用ＬＥＤが発する光を拡散するカバーを備える自転車用泥除け装置に関する。
【背景技術】
【０００２】
従来、自転車に備えられ、自転車のタイヤが回転するとき路面から飛び跳ねる泥や埃の飛散を防止する自転車用泥除け装置が知られている。自転車用泥除け装置は、自転車の存在を周囲に知らせる照明用ＬＥＤや反射ラベルなどを備え、搭乗者の安全を確保する。
【０００３】
自転車用泥除け装置は、プラスチック、合成繊維、アクリル、または金属から形成される。しかしながら、近年、製造コストを節約するため、厚さが約０．０５ｍｍのアルミシートをインサートしたＰＥＴまたはＰＣを押し出し成形して製造される厚さが約１．５〜２．０ｍｍの自転車用泥除け装置が使用されている。自転車用泥除け装置に照明用ＬＥＤを設置する場合、インサートされたアルミシートを利用して外部の電源が供給する電力を照明用ＬＥＤに伝える。
【０００４】
従来の自転車用泥除け装置１は、図３、４に示すように、樹脂から形成される本体部１０、および本体部１０に埋設されている複数のアルミシート１１、１２、１３、１４などを備える。複数のアルミシートのうち、アルミシート１２には接続端子１０ａが電気的に接続する。また、アルミシート１３には接続端子１０ｂが電気的に接続する。接続端子１０ａ、１０ｂは、本体部１０に形成される貫通孔を介してアルミシート１２、１３に接続する。アルミシート１２は照明用ＬＥＤ２のプラス極に接続し、アルミシート１３は照明用ＬＥＤ２のマイナス極に接続する。また、アルミシート１２、１３は外部に設けられる電源Ｅに接続する。これにより、電源Ｅの電力がアルミシート１２、１３を介して照明用ＬＥＤ２に供給され、照明用ＬＥＤ２は点灯する。
【０００５】
このように、従来の自転車用泥除け装置１では、本体部１０にインサート成形されるアルミシート１２、１３を利用して照明用ＬＥＤ２と電源Ｅとを電気的に接続するとともに、自転車用泥除け装置１の強度を確保する。しかしながら、アルミシート１２、１３を照明用ＬＥＤ２と電源Ｅとの電気的接続に利用する場合、下記のような課題がある。
（１）アルミシート１２、１３は本体部１０に埋設されているため、アルミシート１２、１３と照明用ＬＥＤ２とを電気的に接続する場合、本体部１０に接続端子１０ａ、１０ｂを挿通させる貫通孔を形成する。このため、自転車用泥除け装置１の製造工数が増加する。
（２）アルミシート１２、１３は異種の電極に接続するため、本体部１０内において電気的に絶縁するように離れて設置される。このため、複数のアルミシートを離して埋設しなければならず、製造コストが増加する。
（３）また、アルミシート１２、１３は本体部１０に形成される貫通孔を介して外部に露出するため、アルミシート１２、１３が長時間外部環境にさらされる。この結果、アルミシート１２、１３が酸化腐食しやすくなる。特に雨水は本体部１０の貫通孔から本体部１０とアルミシート１２、１３との間にまで流れるため、アルミシート１２、１３の酸化速度が加速する。このため、照明用ＬＥＤ２と電源Ｅとの間の導通がとれなくなり、照明用ＬＥＤ２が点灯できなくなるおそれがある。
また、図４に示すように貫通孔は本体部１０に複数形成されるため、自転車用泥除け装置１の強度および耐用性が低下する。
【考案の概要】
【考案が解決しようとする課題】
【０００６】
本考案の目的は、照明用ＬＥＤの光を効果的に外部に放出し、かつ製造コストの低減が可能な自転車用泥除け装置を提供することにある。
【課題を解決するための手段】
【０００７】
本考案の自転車用泥除け装置は、自転車に搭載され、タイヤが回転するとき、路面からの泥の飛散を防止する自転車用泥除け装置であって、タイヤに沿って円弧状に形成されタイヤ側に突出しタイヤ側とは反対側に開口を有する凹部を形成する本体部、凹部に収容される照明用ＬＥＤ、凹部に収容され照明用ＬＥＤと電気的に接続される電気配線、および凹部の開口を覆い照明用ＬＥＤが発する光を拡散するカバー、を備える。
【０００８】
本考案の自転車用泥除け装置では、凹部に照明用ＬＥＤおよび電気配線が収容される。凹部の開口を覆うカバーは照明用ＬＥＤが発する光を拡散し、外部に放射する。これにより、照明用ＬＥＤが発する光は、効果的に自転車の存在を周囲に知らせることができる。
【０００９】
また、照明用ＬＥＤに電力を供給する電気配線は、凹部とカバーとにより外部環境から隔離されるため、電気配線の酸化腐食を避けることができるとともに、従来の自転車用泥除け装置のように貫通孔を形成するための工数が少なくなる。これにより、自転車用泥除け装置の製造コストを低減することができる。
【図面の簡単な説明】
【００１０】
【図１】本考案の一実施形態による自転車用泥除け装置の断面図である。
【図２】本考案の一実施形態による自転車用泥除け装置の部分拡大図である。
【図３】従来の自転車用泥除け装置の断面図である。
【図４】図３のＡ−Ａ線断面図である。
【考案を実施するための形態】
【００１１】
以下、本考案の実施形態を図面に基づいて説明する。
（一実施形態）
本考案の自転車用泥除け装置３は、本体部３０、カバー４０、照明用ＬＥＤ５、および電気配線５０などから構成されている。
【００１２】
本体部３０は、図示しない自転車のタイヤの形状に沿って円弧状に形成される。本体部３０の略中央には、タイヤ側、すなわち本体部３０の径内方向に突出し、反タイヤ側、すなわち本体部３０の径方向外側に開口を有する凹部４が形成される。凹部４は、断面形状が長方形となるように形成され、凹部４には、図２に示すように照明用ＬＥＤ５および照明用ＬＥＤ５に電力を伝える電気配線５０が収容されている。
【００１３】
本体部３０には、内部にアルミシート３１がインサートされている。アルミシート３１は、凹部４を挟んで１個ずつ、合計２個設けられている。
【００１４】
カバー４０は、凹部４の開口に凹部４を覆うように設けられている。カバー４０は、半透明の材料から形成されており、照明用ＬＥＤ５が発する光を拡散し、外部に放出する。カバー４０は、本体部３０と一体に形成されてもよい。この場合、照明用ＬＥＤ５および電気配線５０とは、凹部４の両端にある開口から挿入される。
【００１５】
本考案の自転車用泥除け装置３では、照明用ＬＥＤ５が発する光を半透明に形成されているカバー４０によって拡散し外部に放出するため、自転車用泥除け装置３を用いる自転車の存在を効果的に周囲に知らせ、搭乗者の安全を確保できる。
【００１６】
また、本体部３０にインサートされているアルミシート３１は照明用ＬＥＤ２に電力を伝える電気配線としては利用されておらず、アルミシートと照明用ＬＥＤ２とを電気的に接続するための貫通孔を有していないため、貫通孔を形成する工数が低減することができる。また、貫通孔を有していないため、外部環境への露出による導通不良を防止することができる。
【００１７】
また、カバー４０は、凹部４の開口を覆うため、外部環境からの外力や風雨に対して照明用ＬＥＤ５および電気配線５０を保護できるとともに、本体部３０の強度を向上することができる。
【００１８】
また、アルミシート３１は、本体部３０の凹部４を挟んで１個ずつ、合計２個設けられるため、インサートするアルミシートの数を少なくすることができる。これにより、製造コストを低減することができる。
【００１９】
また、本体部３０とカバー４０とは一体に形成することができる。これにより、自転車用泥除け装置３の製造コストを低減することができる。
【００２０】
（その他の実施形態）
上述の実施形態では、凹部の断面形状は、長方形であるとした。しかしながら、凹部の断面形状はこれに限定されない。
【００２１】
以上、本考案はこのような実施形態に限定されるものではなく、その要旨を逸脱しない範囲の種々の形態で実施可能である。
【符号の説明】
【００２２】
１、３                      ・・・自転車用泥除け装置、
２、５                      ・・・照明用ＬＥＤ、
４                          ・・・凹部、
１０、３０                  ・・・本体部、
１０ａ、１０ｂ              ・・・接続端子、
１１、１２、１３、１４、３１・・・アルミシート、
４０                        ・・・カバー、
５０                        ・・・電気配線、
Ｅ                          ・・・電源。
【図１】
0003178875.tif 000003
【図２】
0003178875.tif 000004
【図３】
0003178875.tif 000005
【図４】
0003178875.tif 000006